(57)【要約】【課題】記録ユニットに映像等を記録させるとともにモニターユニットに映像等を出力させることができ、クロストークを低減させること等ができる信号入力切替用集積回路等を提供することである。【解決手段】信号入力切替用集積回路２０を以下のように構成する。集積回路２０は、記録入力切替部２とモニター入力切替部３と信号源２１，２２、３１、３２より出力された信号を記録入力切替部２及びモニター入力切替部３に導くための配線を備えている。記録入力切替部２は、信号源２１、２２、３１、３２と記録ユニット２６との接続を切り替える。モニター入力切替部３は、信号源２１、２２、３１、３２とモニターユニット２７との接続を切り替える。そして、記録入力切替部２とモニター入力切替部３と信号源より出力された信号を記録入力切替部２及びモニター入力切替部３に導くための配線を一つのパッケージ１内に設ける。【選択図】　図１
2004094992.tif 000002
【特許請求の範囲】
【請求項１】
映像信号及び／又は音声信号を出力する複数の信号源と前記信号に基づく映像及び／又は音声を記録媒体に記録する記録ユニットとの接続を切り替えるための記録入力切替部と、
前記映像信号及び／又は音声信号を出力する複数の信号源と前記信号に基づく映像及び／又は音声を出力するモニターユニットとの接続を切り替えるためのモニター入力切替部と、
前記信号源より出力される信号を前記記録入力切替部及びモニター入力切替部に導くための配線とを備え、
前記記録入力切替部と前記モニター入力切替部と前記配線とが一つのパッケージ内に設けられた信号入力切替用集積回路。
【請求項２】
前記記録入力切替部より入力される映像信号及び／又は音声信号を復調して記録信号に変換する処理を行う信号処理部を備え、該信号処理部が前記一つのパッケージ内に設けられる請求項１に記載の信号入力切替用集積回路。
【請求項３】
映像信号及び／又は音声信号を出力する複数の信号源と、
前記信号源より出力された映像信号及び／又は音声信号に基づく映像及び／又は音声を記録媒体に記録する記録ユニットと、
前記信号源より出力された映像信号及び／又は音声信号に基づく映像及び／又は音声を出力するモニターユニットと、
前記記録ユニット及びモニターユニットに接続する複数の信号源を切り替える信号入力切替用集積回路とを備え、
前記信号入力切替用集積回路は、前記記録ユニットに接続する信号源を切り替えるための記録入力切替部と、前記モニターユニットに接続する信号源を切り替えるためのモニター入力切替部と、前記信号源より出力される信号を前記記録入力切替部及び前記モニター入力切替部に導くための配線とを備え、
前記記録入力切替部と前記モニター入力切替部と前記配線とが一つのパッケージ内に設けられていることを特徴とする記録再生装置。
【請求項４】
前記信号入力切替用集積回路が、前記記録入力切替部より入力される映像信号及び／又は音声信号を復調して記録信号に変換する処理を行う信号処理部を備え、該信号処理部が前記一つのパッケージ内に設けられる請求項３に記載の記録再生装置。
【請求項５】
前記複数の信号源が、テレビ放送波を受信するチューナを含む請求項３又は４に記載の記録再生装置。
【請求項６】
前記複数の信号源が、映像及び／又は音声がディジタルデータで記録される記録媒体を備え該記録媒体に記録された映像及び／又は音声に基づく映像信号及び／又は音声信号を出力するディジタル再生ユニットを含む請求項３乃至５のいずれかに記載の記録再生装置。
【発明の詳細な説明】
【０００１】
【発明の属する技術分野】
本発明は、映像や音声の記録とモニターに用いられる信号入力切替用集積回路及び記録再生装置に関する。
【０００２】
【従来の技術】
記録再生装置は、映像や音声を記録するとともに、その映像や音声の内容を視聴者が確認できるようにされている。即ち、記録再生装置は、映像や音声（以下、「映像等」と略する）を記録するための記録ユニットと、その映像等を視聴者が確認するためのモニターユニットを備えている。
【０００３】
そして、前記記録再生装置では、映像等の信号源を出力された映像信号や音声信号が記録ユニットに入力されて映像等が記録され、前記信号源を出力された映像信号等がモニターユニットに入力されてモニターユニットに映像等が出力される。
【０００４】
また、前記記録再生装置には、前記信号源より出力された映像信号等を前記記録ユニットやモニターユニットに導くための信号処理回路が設けられている。そして、この信号処理回路は、その一部が集積回路により形成されている。また、前記記録再生装置について、複数の信号源より出力された映像信号等を記録ユニットに記録し、モニターユニットに映像等を出力できるようにされたものがある。
【０００５】
そして、複数の信号源からの映像信号等を記録等できる記録再生装置では、記録ユニットやモニターユニットに接続される信号源を切り替え得るようにされており、いずれの信号源からの映像等を記録するかを適宜選択できるようにされている。
【０００６】
【発明が解決しようとする課題】
ここで、前記信号源より出力された信号を前記記録ユニットやモニターユニットに導くための回路は、信号源の数に従って配線が増える。そのため、記録ユニットによる記録等を多くの信号源に対してできるようにすると、各配線を伝送される信号間のクロストーク、即ち干渉を生じ易い。
【０００７】
そこで、本発明は、記録ユニットに映像等を記録させるとともにモニターユニットに映像等を出力させることができ、クロストークを低減させることができる信号入力切替用集積回路を提供することを目的とする。
【０００８】
【課題を解決するための手段】
上記課題を解決するため、本発明は、映像信号及び／又は音声信号を出力する複数の信号源と前記信号に基づく映像及び／又は音声を記録媒体に記録する記録ユニットとの接続を切り替えるための記録入力切替部と、
前記映像信号及び／又は音声信号を出力する複数の信号源と前記信号に基づく映像及び／又は音声を出力するモニターユニットとの接続を切り替えるためのモニター入力切替部と、
前記信号源より出力される信号を前記記録入力切替部及びモニター入力切替部に導くための配線とを備え、
前記記録入力切替部と前記モニター入力切替部と前記配線とが一つのパッケージ内に設けられた信号入力切替用集積回路である（請求項１）。
【０００９】
本発明の信号入力切替用集積回路によると、上記記録入力切替部とモニター入力切替部と配線とが集積回路の一つのパッケージ内に設けられるので、前記信号源より前記配線を通って記録入力切替部及びモニター入力切替部に入力される信号間のクロストークを防ぐことができる。
【００１０】
また、本発明の信号入力切替用集積回路によると、記録入力切替部とモニター入力切替部を一つのパッケージに設けるので、記録ユニット及びモニターユニットに接続する信号源を切り替える回路をコンパクトにすることができる。
【００１１】
また、上記信号入力切替用集積回路と前記複数の信号源と前記記録ユニットと前記モニターユニットとを備える記録再生装置を構成することができる（請求項３）。
【００１２】
この発明の記録再生装置によると、前記信号源より出力された信号を前記記録ユニット及び前記モニターユニットに導くとともに前記記録ユニット及び前記モニターユニットに接続する信号源を切り替えるための回路が上記信号入力切替用集積回路に形成されている。
【００１３】
これにより、この発明の記録再生装置によると、前記信号源より前記記録入力切替部及びモニター入力切替部に入力される信号間のクロストークを防止することができる。これにより、前記記録ユニットにより映像等を記録するにあたり、乱れのない正しい映像等を記録させることができる。また、モニターユニットに映像等を出力するにあたり、乱れのない正しい映像等を出力させることができる。
【００１４】
また、この発明の記録再生装置によると、上記記録入力切替部及びモニター入力切替部を備える回路をコンパクトにすることができ、記録再生装置をコンパクトにすることができる。
【００１５】
また、上記信号入力切替用集積回路に前記記録入力切替部より入力される映像信号及び／又は音声信号を復調して記録信号に変換する処理を行う信号処理部を設けることができ、該信号処理部を前記一つのパッケージ内に設けることができる（請求項２）。
【００１６】
この発明の信号入力切替用集積回路によると、前記パッケージ内に信号処理部を備えるので、信号処理部で処理される信号に対するクロストークを防ぐことができる。これにより、信号処理部は、誤動作を生ずることなく正確に信号を処理することができる。
【００１７】
また、この発明の信号入力切替用集積回路によると、パッケージ内に信号処理部を設けるので、信号処理を行う回路を含む全体の構成をコンパクトにできる。
【００１８】
また、前記信号処理部を備える信号入力切替用集積回路（請求項２）と、前記複数の信号源と前記記録ユニットと前記モニターユニットとを備える記録再生装置を構成することができる（請求項４）。
【００１９】
これにより、この発明の記録再生装置によると、前記信号源より前記記録入力切替部及びモニター入力切替部に入力される信号間のクロストーク、及び前記信号処理部におけるクロストークを防止することができる。これにより、前記記録ユニットにより映像等を記録するにあたり、乱れのない正しい映像等を記録させることができる。また、モニターユニットに映像等を出力するにあたり、乱れのない正しい映像等を出力させることができる。
【００２０】
また、上記記録入力切替部、モニター入力切替部及び信号処理部を備える回路をコンパクトにすることができ、記録再生装置をコンパクトにすることができる。
【００２１】
また、前記記録再生装置について、前記複数の信号源にテレビ放送波を受信するチューナを含めることができる（請求項５）。これにより、この発明の記録再生装置によると、前記チューナにより受信したテレビ放送の内容を、前記記録ユニットにより記録することができ、またモニターユニットに出力することもできる。
【００２２】
また、前記記録再生装置について、前記複数の信号源に、映像及び／又は音声がディジタルデータで記録される記録媒体を備え該記録媒体に記録された映像及び／又は音声に基づく映像信号及び／又は音声信号を出力するディジタル再生ユニットを含めることができる（請求項６）。
【００２３】
これにより、この発明の記録再生装置によると、前記ディジタル再生ユニットより出力された映像等を前記記録ユニットにより記録することができ、またモニターユニットに出力することもできる。
【００２４】
【発明の実施の形態】
本発明の実施の形態について、図１及び図２に基づいて説明する。図１は、本発明の一の実施形態である信号入力切替用集積回路２０の構成の概略を示す図である。図１には、信号入力切替用集積回路２０の信号処理にかかるブロックが示される。
【００２５】
また、図１は、信号入力切替用集積回路２０を映像や音声を記録し再生することができる記録再生装置の一部に組み込んだ例を示している。この集積回路２０が組み込まれる記録再生装置はテレビ受像機としても機能するように構成されている。
【００２６】
信号入力切替用集積回路２０は、パッケージ１と、パッケージ１内に設けられた記録入力切替部２及びモニター入力切替部３を備えている。パッケージ１は、集積回路のパッケージとして一般に用いられるものと同じであり、シリコンにより形成することができる。
【００２７】
記録入力切替部２は、第一の入力用接点２ａ、第二の入力用接点２ｂ、第三の入力用接点２ｃ、第四の入力用接点２ｄ、第一の出力用接点２ｆ、及びスイッチ手段２ｇを備えている。
【００２８】
記録入力切替部２の入力用接点２ａ、２ｂ、２ｃ、２ｄは、出力用接点２ｆに接続されるものが切り替えられるようにされている。そして、出力用接点２ｆに接続される入力用接点を切り替えることにより、記録ユニット２６により映像や音声が記録される信号源が切り替えられる。
【００２９】
モニター入力切替部３は、第五の入力用接点３ａ、第六の入力用接点３ｂ、第七の入力用接点３ｃ、第八の入力用接点３ｄ、第二の出力用接点３ｆ、及びスイッチ手段３ｇを備えている。
【００３０】
モニター入力切替部３の入力用接点３ａ、３ｂ、３ｃ、３ｄは、出力用接点３ｆと接続されるものが切り替えられるようにされている。そして、出力用接点３ｆに接続される入力用接点３ａ、３ｂ、３ｃ、３ｄを切り替えることにより、モニターユニット２７に映像や音声が出力される信号源が切り替えられる。
【００３１】
記録入力切替部２の出力用接点２ｆに接続される入力用接点２ａ、２ｂ等は、パッケージ１の外部より送信される第一の切替制御信号ｐ１によって切り替えられる。第一の切替制御信号ｐ１は、入力用接点２ａ、２ｂ等のいずれを出力用接点２ｆに接続するかを指定するデータを含んでいる。
【００３２】
そして、第一の切替制御信号ｐ１が記録入力切替部２に入力されると、スイッチ手段２ｇが信号ｐ１により指定された入力用接点２ａ、２ｂ等のいずれかと出力用接点２ｆを導通させる。
【００３３】
また、モニター入力切替部３の出力用接点３ｆに接続される入力用接点３ａ、３ｂ等は、第二の切替制御信号ｐ２によって切り替えられる。第二の切替制御信号ｐ２は、入力用接点３ａ、３ｂ等のいずれを出力用接点３ｆに接続するかを指定するデータを含んでいる。
【００３４】
そして、第二の切替制御信号ｐ２がモニター入力切替部３に入力されると、スイッチ手段３ｇが信号ｐ２により指定された入力用接点３ａ、３ｂ等のいずれかと出力用接点３ｆを導通させる。
【００３５】
以上の第一の切替制御信号ｐ１、第二の切替制御信号ｐ２は、記録再生装置に備わる特に図示されない制御用マイコンより出力される。即ち、いずれの信号源による映像等を記録したいかに応じた視聴者による記録再生装置に対する操作に応じて、制御用マイコンが制御信号ｐ１を出力する。
【００３６】
また、いずれの信号源による映像等をモニターユニット２７に出力したいかに応じた視聴者による記録再生装置に対する操作に応じて、制御用マイコンが制御信号ｐ２を出力する。
【００３７】
以上の制御信号ｐ１、ｐ２は、パッケージ１に設けられる図示されない制御信号入力端子より入力される。そして、前記制御信号入力端子よりパッケージ１内に配設される図示されない所要の配線により、信号ｐ１が記録入力切替部２に導かれ、信号ｐ２がモニター入力切替部３に導かれる。
【００３８】
なお、集積回路２０が、制御用マイコンとＩ２Ｃ（ＩＮＴＥＲ−ＩＮＴＥＧＲＡＴＥＤ　ＣＩＲＣＵＩＴ）バスで接続され、Ｉ２Ｃバス通信手段によって制御される場合には、前記信号ｐ１、ｐ２を入力するための制御信号入力端子はクロックライン及びデータラインを接続できるように設けられる。
【００３９】
記録入力切替部２の第一の入力用接点２ａ及びモニター入力切替部３の第五の入力用接点３ａはパッケージ１内で導通させてあり、接点２ａと接点３ａはパッケージ１内で所要の配線により接続されている。
【００４０】
また、記録入力切替部２の第二の入力用接点２ｂ及びモニター入力切替部３の第六の入力用接点３ｂはパッケージ１内で導通させてあり、接点２ｂと接点３ｂはパッケージ１内で所要の配線により接続されている。
【００４１】
また、記録入力切替部２の第三の入力用接点２ｃ及びモニター入力切替部３の第七の入力用接点３ｃはパッケージ１内で導通させてあり、接点２ｃと接点３ｃはパッケージ１内で所要の配線により接続されている。
【００４２】
また、記録入力切替部２の第四の入力用接点２ｄ及びモニター入力切替部３の第八の入力用接点３ｄはパッケージ１内で導通させてあり、接点２ｄと接点３ｄはパッケージ１内で所要の配線により接続されている。
【００４３】
また、信号入力切替用集積回路２０は、第一の信号入力端子５、第二の信号入力端子６、第三の信号入力端子７及び第四の信号入力端子８を備えている。これらの信号入力端子５乃至８は、各信号源より各々に出力された信号を入力するための端子である。
【００４４】
第一の信号入力端子５は、パッケージ１内において、記録入力切替部２の第一の入力用接点２ａ及びモニター入力切替部３の第五の入力用接点３ａに接続されており、接点２ａ及び接点３ａを接続する前記配線に接続されている。
【００４５】
第二の信号入力端子６は、パッケージ１内において、記録入力切替部２の第二の入力用接点２ｂ及びモニター入力切替部３の第六の入力用接点３ｂに接続されており、接点２ｂ及び接点３ｂを接続する前記配線に接続されている。
【００４６】
第三の信号入力端子７は、パッケージ１内において、記録入力切替部２の第三の入力用接点２ｃ及びモニター入力切替部３の第七の入力用接点３ｃに接続されており、接点２ｃ及び接点３ｃを接続する前記配線に接続されている。
【００４７】
第四の信号入力端子８は、パッケージ１内において、記録入力切替部２の第四の入力用接点２ｄ及びモニター入力切替部３の第八の入力用接点３ｄに接続されており、接点２ｄ及び接点３ｄを接続する前記配線に接続されている。
【００４８】
また、第一の信号入力端子５は、第一の信号源である第一のチューナ２１に接続され、チューナ２１より出力された映像信号及び／又は音声信号が入力される。第二の信号入力端子６は、第二の信号源である第二のチューナ２２に接続され、チューナ２２より出力された映像信号及び／又は音声信号が入力される。
【００４９】
第三の信号入力端子７は、記録再生装置の第一の外部入力端子（フロント入力端子）に接続され、この第一の外部入力端子に接続される第三の信号源３１より出力された映像信号及び／又は音声信号が入力される。この第三の信号源３１は、この集積回路２０が設けられる記録再生装置の外部に存在する信号源である。
【００５０】
第四の信号入力端子８は、記録再生装置の第二の外部入力端子（リア入力端子）に接続され、この第二の外部入力端子に接続される第四の信号源３２より出力された映像信号及び／又は音声信号が入力される。この第四の信号源３２は、この集積回路２０が設けられる記録再生装置の外部に存在する信号源である。
【００５１】
第三の信号源３１、第四の信号源３２として、映像や音声がディジタルデータで記録媒体に記録され、この記録媒体に記録された映像や音声を表す映像信号や音声信号を出力するディジタル再生ユニットを用いることができる。
【００５２】
このディジタル再生ユニットの具体例として、ＣＤ／ＭＤ　ＰＬＡＹＥＲ（コンパクトディスク／ミニディスクプレーヤ）、ＤＶＤ　ＰＬＡＹＥＲ（ディジタルバーサタイルディスクプレーヤ）、ＨＤＤ　ＰＬＡＹＥＲ（ハードディスクプレーヤ）を挙げることができる。
【００５３】
また、第三の信号源３１や第四の信号源３２として、磁気テープを記録媒体とし磁気テープに記録される映像や音声を表す映像信号や音声信号を出力するＶＣＲ（ビデオカセットレコーダ）やＶＴＲ（ビデオテープレコーダ）を用いることもできる。
【００５４】
また、信号入力切替用集積回路２０は、第一の信号出力端子１１及び第二の信号出力端子１２を備えている。第一の信号出力端子１１及び第二の信号出力端子１２は、信号源よりこれら端子に送信された映像信号等を集積回路２０より出力するための端子である。
【００５５】
第一の信号出力端子１１は、パッケージ１内で出力用接点２ｆに接続されている。また、第一の信号出力端子１１は、パッケージ１の外部で記録ユニット２６に接続されている。そして、前記信号源より出力用接点２ｆに伝達された映像信号や音声信号は第一の信号出力端子１１を通って記録ユニット２６に入力される。
【００５６】
第二の信号出力端子１２は、パッケージ１内で出力用接点３ｆに接続されている。また、第二の信号出力端子１２は、パッケージ１の外部でモニターユニット２７に接続されている。そして、前記信号源より出力用接点３ｆに伝達された映像信号や音声信号は第二の信号出力端子１２を通ってモニターユニット２７に入力される。
【００５７】
記録ユニット２６は、入力された映像信号や音声信号に基づく映像や音声を記録する。記録ユニット２６は、映像や音声を記録するための記録媒体を備えている。そして、記録ユニット２６は、第一の信号出力端子１１より映像信号や音声信号が入力されると、この映像信号等に基づく映像や音声を記録媒体に記録する。
【００５８】
この記録ユニット２６の具体例として、映像や音声をディジタルデータで記録媒体に記録し、記録媒体に記録される映像や音声を表す映像信号や音声信号を出力するＣＤ／ＭＤ　ＰＬＡＹＥＲ（コンパクトディスク／ミニディスクプレーヤ）、ＤＶＤ　ＰＬＡＹＥＲ（ディジタルバーサタイルディスクプレーヤ）、ＨＤＤ　ＰＬＡＹＥＲ（ハードディスクプレーヤ）を挙げることができる。
【００５９】
また、記録ユニット２６として、磁気テープを記録媒体とし、磁気テープに記憶される映像や音声を表す映像信号や音声信号を出力するＶＣＲ（ビデオカセットレコーダ）やＶＴＲ（ビデオテープレコーダ）を用いることもできる。
【００６０】
モニターユニット２７は入力された映像信号や音声信号に基づく映像や音声を出力する。このモニターユニット２７により、視聴者は映像や音声の内容を確認することができる。モニターユニット２７は、陰極線管に映像を映し出すようにされているテレビモニターや、音声信号に基づき音声を出力するスピーカ等が相当する。
【００６１】
以上に説明した集積回路２０には、特に図示しない接地線がパッケージ１内に配設されており、パッケージ１内の各接点間を結ぶ配線パターンに沿って所要の箇所に接地線が配設されている。このパッケージ１内の接地線は、特に図示しないパッケージ１の接地端子を介してパッケージ１外部の接地と同電位にできるようにされている。
【００６２】
以上に説明した信号入力切替用集積回路２０を動作させる例について説明する。以下の説明では、図１に示されたように集積回路２０を記録再生装置に組み込んで動作させる場合について説明する。
【００６３】
集積回路２０が組み込まれた記録再生装置の電源をオンする。次に、一のテレビチャンネルを受信して記録ユニット２６により記録するように記録再生装置を操作する。また、他の一のテレビチャンネルを受信してモニターユニット２７に出力するように記録再生装置を操作する。
【００６４】
これにより、第一のチューナ２１が、その受信周波数が前記一のテレビチャンネルを受信するように設定される。また、第二のチューナ２２が、その受信周波数が前記他の一のテレビチャンネルを受信するように設定される。また、制御用マイコンより第一の切替制御信号ｐ１、第二の切替制御信号ｐ２が出力される。
【００６５】
制御信号ｐ１は、記録入力切替部２の出力用接点２ｆに接続する入力用接点を接点２ａとすることを内容に含んでいる。また、制御信号ｐ２は、モニター入力切替部３の出力用接点３ｆに接続する入力用接点を接点３ｂとすることを内容に含んでいる。
【００６６】
これにより、記録入力切替部２では、スイッチ手段２ｇが接点２ｆと接点２ａを導通させる。また、モニター出力切替部３では、スイッチ手段３ｇが接点３ｆと接点３ｂを導通させる。
【００６７】
これにより、第一のチューナ２１により受信される一のテレビチャンネルの放送内容が記録ユニット２６により記録され、また第二のチューナ２２により受信されるテレビチャンネルの放送内容がモニターユニット２７に出力される。
【００６８】
以上の説明では、第一の信号源である第一のテレビチューナ２１により受信した放送内容を記録ユニット２６により記録するとともに、第二の信号源である第二のテレビチューナ２２により受信した放送内容をモニターユニット２７に出力する例を挙げた。その他、第二の信号源２２より出力される信号に基づく映像等を記録ユニット２６により記録するとともに、第一の信号源２１より出力される信号に基づく映像等をモニターユニット２７に出力させることもできる。
【００６９】
また、第三の信号源３１より出力される信号に基づく映像等を記録ユニット２６により記録するとともに、第四の信号源３２より出力される信号等に基づく映像等をモニターユニット２７に出力させることもできる。
【００７０】
即ち、信号源２１、２２、３１、３２のいずれか一つを記録ユニット２６により映像等を記録するための信号源として選択し、信号源２１、２２、３１、３２のいずれか一つをモニターユニット２７に映像等を出力するための信号源として選択することができる。また、記録ユニット２６により映像等を記録する信号源とモニターユニット２７により映像等を出力する信号源が同一であっても構わない。
【００７１】
以上に説明した信号入力切替用集積回路２０によると、記録入力切替部２とモニター入力切替部３とが一つのパッケージ１内に組み込まれている。そして、記録入力切替部２に設けられる接点とモニター入力切替部３に設けられる接点とを接続する配線がパッケージ１内に配設されている。
【００７２】
これにより、記録入力切替部２に入力され又は出力される信号とモニター入力切替部３に入力され又は出力される信号との間で生ずるクロストーク、即ち干渉を防ぐことができる。
【００７３】
例えば、記録入力切替部２を一つの集積回路に配置し、モニター入力切替部３を他の一つの集積回路に配置することもできる。そして、記録入力切替部２の各接点とモニター入力切替部３の各接点とを前記一つの集積回路及び他の一つの集積回路の外部に設けた配線によって導通させるようにすることもできる。しかし、集積回路の外部に多くの配線を配設すると、各配線を伝送される信号間のクロストークを生じ好ましくない。
【００７４】
本発明にかかる信号入力切替用集積回路２０によると、以上に説明したように、記録入力切替部２とモニター入力切替部３とを一つのパッケージ１内に配置し、記録入力切替部２の接点とモニター入力切替部３の接点を接続する配線を一つのパッケージ１内に配設するので、クロストークを防ぐことができる。
【００７５】
また、記録入力切替部２とモニター入力切替部３を別個のパッケージに各々配置するのでなく一つのパッケージに配置するので、記録ユニット２６及びモニターユニット２７に接続する信号源を複数の信号源間で切り替えるための回路をコンパクトにできる。
【００７６】
次に、本発明の他の実施の形態について説明する。図２は、本発明の他の実施の形態である信号入力切替用集積回路３５の構成の概略を示す図である。図２には、信号入力切替用集積回路３５の信号処理にかかるブロックが示される。
【００７７】
また、図２は、信号入力切替用集積回路３５を映像や音声を記録し再生することができる記録再生装置の一部に組み込んだ例を示している。この集積回路３５が組み込まれる記録再生装置はテレビ受像機としても機能するように構成されている。
【００７８】
図２に示される信号入力切替用集積回路３５は、パッケージ１内に信号処理部１５を備えている。この集積回路３５は、信号処理部１５が設けられること、及び信号処理部１５が設けられることにより記録入力切替部２の出力用接点２ｆが信号処理部１５の入力端子に接続されること、第一の信号出力端子１１が信号処理部１５の出力端子に接続されることを除き、他の部材は図１により説明した集積回路２０と同様に構成されている。
【００７９】
信号処理部１５は、入力された映像信号及び／又は音声信号を復調する処理を行い、記録信号に変換する。即ち、信号処理部１５は、記録入力切替部２より映像信号及び／又は音声信号が入力されると、この信号を復調して記録信号とし第一の信号出力端子１１に出力する。
【００８０】
そして、第一の信号出力端子１１に出力された記録信号が記録ユニット２６に入力されると、その信号に基づく映像や音声が記録ユニット２６により記録される。
【００８１】
上記信号処理部１５として、例えばＹ／Ｃ処理を行うもの、即ち輝度信号（Ｙ）をＦＭ変調する処理と色信号（Ｃ）に対する低域変換の処理を行うものを設けることができる。
【００８２】
この信号入力切替用集積回路３５によると、パッケージ１内に信号処理部１５を備えるので、信号処理部１５により処理される信号に対するクロストークを防ぐことができる。即ち、信号処理部１５をパッケージ１内に設けることにより、パッケージ１の外部に信号を導くための多くの配線パターンを配置しなくともよいからである。これにより、信号処理部１５は、誤動作を生ずることなく正確に信号を処理することができる。
【００８３】
また、この信号入力切替用集積回路３５によると、パッケージ１内に信号処理部１５を設けるので、信号処理を行う回路を含む全体の構成をコンパクトにすることができる。
【００８４】
【発明の効果】
以上説明したように、本発明によると、記録ユニット及びモニターユニットに接続する信号源を切り替えるための記録入力切替部及びモニター入力切替部を有する回路を集積回路の一つのパッケージ内に設けるので、前記記録入力切替部及びモニター入力切替部に入力される各信号間のクロストークを防ぐことができる。
【００８５】
また、本発明によると、記録入力切替部とモニター入力切替部を集積回路の一つのパッケージ内に設けるので、記録ユニット及びモニターユニットに接続する信号源を切り替えるための回路をコンパクトにすることができる。
【図面の簡単な説明】
【図１】本発明の一の実施の形態である信号入力切替用集積回路のブロック図である。
【図２】本発明の他の実施の形態である信号入力切替用集積回路のブロック図である。
【符号の説明】
１　　集積回路のパッケージ
２　　記録入力切替部
２ａ　第一の信号入力用接点
２ｂ　第二の信号入力用接点
２ｃ　第三の信号入力用接点
２ｄ　第四の信号入力用接点
２ｆ　第一の信号出力用接点
３　　　モニター入力切替部
３ａ　第五の信号入力用接点
３ｂ　第六の信号入力用接点
３ｃ　第七の信号入力用接点
３ｄ　第八の信号入力用接点
３ｆ　第二の信号出力用接点
５　　　　第一の信号入力端子
６　　　第二の信号入力端子
７　　第三の信号入力端子
８　　第四の信号入力端子
１１　　第一の信号出力端子
１２　　第二の信号出力端子
１５　　信号処理部
２０　　信号入力切替用集積回路（一の実施の形態）
２１　　第一の信号源（第一のチューナ）
２２　　第二の信号源（第二のチューナ）
３１　　第三の信号源（フロント入力）
３２　　第四の信号源（リア入力）
２６　　記録ユニット
２７　　モニターユニット
３５　　信号入力切替用集積回路（他の実施の形態）
【図１】
2004094992.tif 000003
【図２】
2004094992.tif 000004